(57)【要約】  本発明は、腰部支持部材（１）を有する背もたれを備える椅子、特に、事務用の椅子に関する。このような椅子の快適さと使いやすさとを向上させるために、フレキシブルなガイド板（４）に高さ調整可能に腰部支持部材（１）を配置することを提案する。
2008506486.tif 000002
【特許請求の範囲】
【請求項１】
フレキシブルなガイド板（４）に配置された高さ調整可能な腰部支持部材（１）を有する椅子であり、特に、フレキシブルなガイド板（４）に配置された高さ調整可能な腰部支持部材（１）を有する事務用椅子。
【請求項２】
前記腰部支持部材（１）が、クランプ接続手段（８，１０）により前記ガイド板（４）に固定されることを特徴とする請求項１に記載の椅子。
【請求項３】
前記ガイド板（４）が、前記椅子の背もたれ（１３）の中央のキャリア部材（１４）に取付けられていることを特徴とする請求項１又は２に記載の椅子。
【請求項４】
前記ガイド板（４）に、圧縮応力が加えられることを特徴とする請求項１〜３のいずれか１項に記載の椅子。
【請求項５】
前記ガイド板（４）に加えられる前記圧縮応力を変えることができることを特徴とする請求項４に記載の椅子。
【発明の詳細な説明】
【技術分野】
【０００１】
本発明は、腰部支持部材を備えた背もたれを有する椅子、特に事務用椅子に関する。
【背景技術】
【０００２】
背もたれに備えられた腰部支持部材の従来の構造は、柔軟性が比較的低いという不便さがある。そのため、腰部支持部材を使用すると、結果として、着座した者の背中に不快な圧力が加えられがちである。更に、知られている腰部支持部材は、小さい調整範囲でのみ高さ調整ができる。
【発明の開示】
【０００３】
本発明の目的は、椅子の快適さと使いやすさとを向上させることである。この目的は、請求項１記載の椅子により達成することができる。
【０００４】
本発明の基本的な考え方は、フレキシブルなガイド板に高さ調整可能に腰部支持部材を配置することである。従来技術で知られているような腰部支持部材を固定する方法に対し、ガイド板に腰部支持部材を配置することは、１つには、腰部支持部材の位置を変更することが容易であるという利点がある。従って、例えば、腰部支持部材がガイド板にクランプされている場合、まっすぐな移動により高さの調整をすることができる。もう１つには、ガイド板がフレキシブルな形態であることにより、着座した者の背中に過度の圧力が加えられる状況を避けることができる。言い換えると、着座した者により加えられる圧力で腰部支持部材がたわみ、この結果、着座時の快適性が大きく改善される。
【０００５】
本発明の好ましい実施形態を、実施形態及び図面を参照して、より詳細に以下に説明する。
【０００６】
図１は、腰部支持部材を断面にした事務用椅子の背もたれの側面図を示す。図２は、図１に示す腰部支持部材の斜視図を示す。図３は、支持部本体を断面にした図２に示す腰部支持部材の側面図を示す。図４は、図１に示す背もたれの斜視図を示す。
【０００７】
腰部支持部材１は、支持部本体２、及び支持部本体２に取付けられたガイド板保持部３を有する。ガイド板保持部３は、腰部支持部材１をガイド板４に保持する。明確にするために、図１〜４には、腰部支持部材１全体を記載する代わりに、腰部クッションを収容するために設けられる支持シェル５のみを記載している。腰部クッションを固定するために、固定部材６が、支持シェル５に備えられている。
【０００８】
支持部本体は、腰部クッションの後部の反対側に位置する支持部本体２の凹面形状の背面７に、垂直方向に間隔を置いて設けられ略水平方向に延びる２つのクランプビード８を有する。ガイド板保持部３は、支持部本体２の背面７に、これらクランプビード８の範囲に設けられている。ガイド板保持部３は、垂直方向に延びる２つの側方ガイド壁９を有する。これら２つの側方ガイド壁９は、クランプクロスピース１０により互いに連結されている。ここで、ガイド板４が、２つのクランプビード８とクランプクロスピース１０との間で、ガイド板保持部３に差し込めるように、クランプクロスピース１０は、支持部本体２の背面７から離して配置されている。ガイド板４、クランプビード８、及びクランプクロスピース１０は、ガイド板４が、常に３箇所、すなわちクランプビード８、及びクランプクロスピース１０に接するように、相互の関係で位置決めされ、寸法が決められている。言い換えると、クランプビード８、及びクランプクロスピース１０は、３つでクランプする配置を形成する。腰部支持部材１は、歯止めのような、摩擦によるクランプによって、ガイド板４に保持されている。また、腰部支持部材１は、まっすぐに移動し、上方又は下方に、ガイド板４に案内される。このことにより垂直方向１１に調整することができる。
【０００９】
ガイド板４は、軟質のプラスチックから作られる。プラスチック材料の硬さ、すなわちガイド板４の柔軟性は、製造中に、様々な方法により調整することができる。顧客の要求により、又は腰部クッションに使用される詰物の種類により、ガイド板４は、より硬く又はより軟らかく設計してもよい。従って、ガイド板４は、着座した者により負荷がかけられるとき、より顕著に又はあまり顕著でなく、負荷方向１２にたわむ。
【００１０】
ガイド板４は、事務用椅子の背もたれ１３に固定される。背もたれ１３は、中央のキャリア部材１４を有する。キャリア部材１４は、シート部（図示せず）に取り付けるための実装部１５を下端に有する。シート部の方向に延びる２つの保持アーム１６は、キャリア部材１４に取り付けられている。ミドルキャリア１７が、保持アーム１６の上方で、キャリア部材１４からシート部の方向に延び、フレーム１９の下部横支柱１８が、ミドルキャリアの端部に固定されている。下部横支柱１８は、２つの側部支柱２０により上部横支柱２１に接続している。上部横支柱は、中間部で、中央のキャリア部材１４の上端２３に接続している。
【００１１】
例えば網や詰め物のような背もたれ材を、フレーム１９に取り付け、実際の背もたれを形成する取付け部２２が、フレーム１９に設けられる。
【００１２】
ガイド板４は、中央のキャリア部材１４の上端２３及びミドルキャリア１７の間で、上部接続部２４、及び上部接続部２４から間隔をあけて設けられた下部接続部２５で、背もたれのキャリア部材１４に取り付けられる。このことによって、支持部本体２の水平位置すなわち横位置を確定する。ガイド板４は、背もたれの中央のキャリア部材１４の位置と一致し、着座した者の背中（図示せず）に対して中央に位置する。
【００１３】
ガイド板４の上端を可動自在にキャリア部材１４に取り付ける固定部が、上部接続部２４に設けられる。このために、ガイド板４の上端に設けられる上部固定軸２６は、キャリア部材１４に備えられたホルダー２７に、回動自在に接続される。逆に、ガイド板４の下部接続部２５の位置は、ロックのような動作機構により、垂直方向１１に変更することができる。このロックの固定位置においては、ガイド板４の下端に配置された下部固定軸２９が、クランプ顎３０により、中央のキャリア部材１４に備えられたクランプレスト３１に対し、しっかりとクランプされる。クランプレバー３２を解除することにより、クランプ状態を解除することができ、下部固定軸２９は、クランプレスト３１の更に垂直方向に離隔したクランプ溝３３に移動することができる。下部固定軸２９は、この場所に、クランプレバー３２を再度動作することによりクランプされる。ガイド板４を固定するために、ガイド板４の下端は、閉じたガイドフレーム３４の内側に位置する。ガイドフレーム３４は、クランプレバー３２が解除されたとき、ガイド板４の下端がロックから外れることを防ぐ。
【００１４】
クランプ機構のクランプレバー３２は、ガイド板４への圧縮応力の負荷を変えるために、中央のキャリア部材１４の垂直方向に延びる収納部３５内に配置されている。ここに納められた状態では、クランプレバー端３６は、ほんの僅かにだけ突出しており、キャリア部材１４の後側部３７から出ていても、偶発的なクランプ機構の解除は防止される。図１〜３のそれぞれは、キャリア部材１４の側部３８のうちの１つのみを示している。側部３８は、収納部３５の境界をつけている。一方、ガイドフレーム及びホルダーを有する一方の側部は、図示されていない。
【００１５】
全ての位置で、ガイド板４は、圧縮応力を受けている。このことにより、一方で、支持部本体２が、確実にガイド板４に取り付けられていることを確かにし、他方で、着座した者が支持部本体２に圧力を加えたとき、十分な反発力が形成されることを確実にしている。圧縮応力のレベルは、動作機構２８によりキャリア部材１４上のガイド板４の２つの接続部２４，２５の間の間隔を変える、すなわちガイド板４の半径を変えることにより設定することができる。言い換えると、支持部本体２の接触圧力は、ガイド板４の圧縮応力を変えることにより、個別に、着座した者の要望に適合させることができる。ガイド板４の湾曲した形状のため、垂直方向１１の支持部本体２の高さを変更すると、同時に、支持部本体の傾きが変化する。
【００１６】
本発明の他の実施形態では、図示されていないが、ガイド板４の前面、及び／又は背面を波状とする。この実施形態では、支持部本体２の高さ調整の間に、クランプビード８、及び／又はクランプクロスピース１０が波型形状に沿って移動し、使用者は、多段階式の調整となっていることが分かる。
【００１７】
当業者であれば、基本的な概念、及び明細書本文で説明された本発明の実施形態を使用することにより、ここでは、詳細に記載しないが、多くの更に典型的な実施形態を考えることができるであろう。これに関連して、明細書、特許請求の範囲、及び図面で説明された全ての特徴は、個々に、かつ互いの望ましい組み合わせにおいて、本発明に関連することが指摘されなければならない。
【００１８】
符号のリスト
１      腰部支持部材
２      支持部本体
３      ガイド板保持部
４      ガイド板
５      支持シェル
６      固定部材
７      背面
８      クランプビード
９      ガイド壁
１０      クランプクロスピース
１１      垂直方向
１２      負荷方向
１３      背もたれ
１４      キャリア部材
１５      実装部
１６      保持アーム
１７      ミドルキャリア
１８      下部横支柱
１９      フレーム
２０      側部支柱
２１      上部横支柱
２２      取付け部
２３      上端
２４      上部接続部
２５      下部接続部
２６      上部固定軸
２７      ホルダー
２８      動作機構
２９      下部固定軸
３０      クランプ顎
３１      クランプレスト
３２      クランプレバー
３３      クランプ溝
３４      ガイドフレーム
３５      収納部
３６      クランプレバー端
３７      後側部
３８      側部
【図面の簡単な説明】
【００１９】
【図１】腰部支持部材を断面にした事務用椅子の背もたれの側面図である。
【図２】図１に示す腰部支持部材の斜視図である。
【図３】支持部本体を断面にした図２に示す腰部支持部材の側面図である。
【図４】図１に示す背もたれの斜視図である。
【符号の説明】
【００２０】
１      腰部支持部材
２      支持部本体
３      ガイド板保持部
４      ガイド板
５      支持シェル
６      固定部材
７      背面
８      クランプビード
９      ガイド壁
１０      クランプクロスピース
１１      垂直方向
１２      負荷方向
１３      背もたれ
１４      キャリア部材
１５      実装部
１６      保持アーム
１７      ミドルキャリア
１８      下部横支柱
１９      フレーム
２０      側部支柱
２１      上部横支柱
２２      取付け部
２３      上端
２４      上部接続部
２５      下部接続部
２６      上部固定軸
２７      ホルダー
２８      動作機構
２９      下部固定軸
３０      クランプ顎
３１      クランプレスト
３２      クランプレバー
３３      クランプ溝
３４      ガイドフレーム
３５      収納部
３６      クランプレバー端
３７      後側部
３８      側部
【図１】
2008506486.tif 000003
【図２】
2008506486.tif 000004
【図３】
2008506486.tif 000005
【図４】
2008506486.tif 000006
【国際調査報告】
2008506486.tif 000007
2008506486.tif 000008
2008506486.tif 000009
2008506486.tif 000010
2008506486.tif 000011
2008506486.tif 000012